(57)【要約】【課題】異なるリリース番号のＲＲＣプロトコル機能を搭載する無線基地局が混在する場合のハンドオーバ処理における不具合を解消する。【解決手段】本発明に係る移動通信方法は、無線基地局ｅＮＢ＃１が、移動局ＵＥのハンドオーバを行うことを決定した場合に、無線基地局ｅＮＢ＃２に対して、無線基地局ｅＮＢ＃２で使用されているリリース番号のＲＲＣプロトコル機能によって生成された「ＨＯ  Ｐｒｅｐａｒａｔｉｏｎ  ｉｎｆｏｒｍａｔｉｏｎ」を送信する工程Ａと、無線基地局ｅＮＢ＃２が、移動局ＵＥに対して、無線基地局ｅＮＢ＃２で使用されているＲＲＣプロトコル機能のリリース番号或いは「ＨＯ  Ｐｒｅｐａｒａｔｉｏｎ  ｉｎｆｏｒｍａｔｉｏｎ」に含まれているリリース番号を含む「ＨＯ  Ｃｏｍｍａｎｄ」を送信する工程Ｂとを有する。【選択図】図４
2011139330.tif 000002
【特許請求の範囲】
【請求項１】
第１無線基地局が、移動局の該第１無線基地局配下のセルから第２無線基地局配下のセルへのハンドオーバを行うことを決定した場合に、該第２無線基地局に対して、該第２無線基地局で使用されているリリース番号の所定プロトコル機能によって生成されたハンドオーバ準備信号を送信する工程Ａと、
前記第２無線基地局が、前記移動局に対して、該第２無線基地局で使用されている所定プロトコル機能のリリース番号を含むハンドオーバ指示信号を送信する工程Ｂとを有することを特徴とする移動通信方法。
【請求項２】
所定通信方式の移動通信システムにおける移動通信方法であって、
第１無線基地局が、移動局の該第１無線基地局配下のセルから第２無線基地局配下のセルへのハンドオーバを行うことを決定した場合で、かつ、該第２無線基地局で使用されている所定プロトコル機能のリリース番号を管理していない場合に、該第２無線基地局に対して、前記移動通信システムにおいて事前に設定されているリリース番号の所定プロトコル機能によって生成されたハンドオーバ準備信号を送信する工程Ａと、
前記第２無線基地局が、前記移動局に対して、該第２無線基地局で使用されている所定プロトコル機能のリリース番号或いは前記ハンドオーバ準備信号に含まれているリリース番号を含むハンドオーバ指示信号を送信する工程Ｂとを有することを特徴とする移動通信方法。
【請求項３】
所定通信方式の移動通信システムにおける移動通信方法であって、
第１無線基地局が、移動局の該第１無線基地局配下のセルから第２無線基地局配下のセルへのハンドオーバを行うことを決定した場合で、かつ、該第２無線基地局で使用されている所定プロトコル機能のリリース番号を管理していない場合に、該第２無線基地局に対して、前記移動通信システムにおいて全ての無線基地局が解読可能な機能拡張のみを含む最新のリソース番号の所定プロトコル機能によって生成されたハンドオーバ準備信号を送信する工程Ａと、
前記第２無線基地局が、前記移動局に対して、該第２無線基地局で使用されている所定プロトコル機能のリリース番号或いは前記ハンドオーバ準備信号に含まれているリリース番号を含むハンドオーバ指示信号を送信する工程Ｂとを有することを特徴とする移動通信方法。
【請求項４】
前記工程Ａにおいて、前記第１無線基地局は、前記ハンドオーバ準備信号を含むハンドオーバ要求信号内の情報要素に、該ハンドオーバ準備信号の生成に用いられた所定プロトコル機能のリリース番号を含めることを特徴とする請求項１乃至３のいずれか一項に記載の移動通信方法。
【請求項５】
前記工程Ａにおいて、前記第１無線基地局は、前記ハンドオーバ準備信号内の情報要素に、該ハンドオーバ準備信号の生成に用いられた所定プロトコル機能のリリース番号を含めることを特徴とする請求項１乃至３のいずれか一項に記載の移動通信方法。
【請求項６】
前記移動局が、該移動局に搭載されている所定プロトコル機能に関連する設定のうち、前記ハンドオーバ指示信号に含まれているリリース番号以降で規定された設定を無効にする工程を有することを特徴とする請求項１乃至５のいずれか一項に記載の移動通信方法。
【請求項７】
無線基地局であって、
移動局の前記無線基地局配下のセルから周辺無線基地局配下のセルへのハンドオーバを行うことを決定した場合に、該周辺無線基地局に対して、該周辺無線基地局で使用されているリリース番号の所定プロトコル機能によって生成されたハンドオーバ準備信号を送信するように構成されている送信部を具備することを特徴とする無線基地局。
【請求項８】
所定通信方式の移動通信システムにおける無線基地局であって、
移動局の前記無線基地局配下のセルから周辺無線基地局配下のセルへのハンドオーバを行うことを決定した場合で、かつ、該周辺無線基地局で使用されている所定プロトコル機能のリリース番号を管理していない場合に、該周辺無線基地局に対して、前記移動通信システムにおいて事前に設定されているリリース番号の所定プロトコル機能によって生成されたハンドオーバ準備信号を送信するように構成されている送信部を具備することを特徴とする無線基地局。
【請求項９】
所定通信方式の移動通信システムにおける無線基地局であって、
移動局の前記無線基地局配下のセルから周辺無線基地局配下のセルへのハンドオーバを行うことを決定した場合で、かつ、該周辺無線基地局で使用されている所定プロトコル機能のリリース番号を管理していない場合に、該周辺無線基地局に対して、前記移動通信システムにおいて全ての無線基地局が解読可能な機能拡張のみを含む最新のリソース番号の所定プロトコル機能によって生成されたハンドオーバ準備信号を送信するように構成されている送信部を具備することを特徴とする無線基地局。
【請求項１０】
前記送信部は、前記ハンドオーバ準備信号を含むハンドオーバ要求信号内の情報要素に、該ハンドオーバ準備信号の生成に用いられた所定プロトコル機能のリリース番号を含めるように構成されていることを特徴とする請求項７乃至９のいずれか一項に記載の無線基地局。
【請求項１１】
前記送信部は、前記ハンドオーバ準備信号内の情報要素に、該ハンドオーバ準備信号の生成に用いられた所定プロトコル機能のリリース番号を含めるように構成されていることを特徴とする請求項７乃至９のいずれか一項に記載の無線基地局。
【請求項１２】
無線基地局であって、
周辺無線基地局から、ハンドオーバ準備信号を受信するように構成されている受信部と、
前記移動局に対して、前記無線基地局で使用されている所定プロトコル機能のリリース番号或いは前記ハンドオーバ準備信号に含まれているリリース番号を含むハンドオーバ指示信号を送信するように構成されている送信部とを具備することを特徴とする無線基地局。
【発明の詳細な説明】
【技術分野】
【０００１】
本発明は、移動通信方法及び無線基地局に関する。
【背景技術】
【０００２】
現在、３ＧＰＰにおいて、ＬＴＥ（Ｌｏｎｇ  Ｔｅｒｍ  Ｅｖｏｌｕｔｉｏｎ）方式のさらなる拡張規格の策定作業が進められている。
【０００３】
３ＧＰＰでは、「ＵＴＲＡ（Ｕｎｉｖｅｒｓａｌ  Ｔｅｒｒｅｓｔｒｉａｌ  Ｒａｄｉｏ  Ａｃｃｅｓｓ）」方式及び「ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）」方式や、ＬＴＥ方式の「Ｅｖｏｌｖｅｄ  ＵＴＲＡ（Ｅ-ＵＴＲＡ）」及び「Ｅｖｏｌｖｅｄ  ＵＴＲＡＮ（Ｅ-ＵＴＲＡＮ）」に関する拡張規格が定期的に策定されており、「リリース（Ｒｅｌｅａｓｅ）番号」で拡張機能の版数が管理されている。
【０００４】
かかるＬＴＥ方式は「Ｒｅｌｅａｓｅ  ８」で初めて規定され、現在、「Ｒｅｌｅａｓｅ  ９」における拡張規格の策定作業が進められている。
【先行技術文献】
【非特許文献】
【０００５】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｐｈｙｓｉｃａｌ  Ｃｈａｎｎｅｌｓ」、２００９年９月
【非特許文献２】３ＧＰＰ  ＴＳ３６.４１３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｓ１  ａｐｐｌｉｃａｔｉｏｎ  ｐｒｏｔｏｃｏｌ  （Ｓ１ＡＰ）」、２００９年１２月
【非特許文献３】３ＧＰＰ  ＴＳ３６.４２３（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ  （Ｘ２ＡＰ）」、２００９年１２月
【非特許文献４】３ＧＰＰ  ＴＳ３６.３３１（Ｖ９.０.０）、「Ｒａｄｉｏ Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ」、２００９年９月
【発明の概要】
【発明が解決しようとする課題】
【０００６】
しかしながら、図１１に示すように、「Ｒｅｌｅａｓｅ  ９」で規定された「Ｒａｄｉｏ Ｒｅｓｏｕｒｃｅ  Ｃｏｎｔｒｏｌ（ＲＲＣ）プロトコル機能」を搭載したＬＴＥ方式の移動局ＵＥが、「Ｒｅｌｅａｓｅ  ９」で規定されたＲＲＣプロトコル機能を搭載したＬＴＥ方式の無線基地局ｅＮＢ＃１から「Ｒｅｌｅａｓｅ  ８」で規定されたＲＲＣプロトコル機能を搭載したＬＴＥ方式の無線基地局ｅＮＢ＃２にハンドオーバを行う場合、以下のような問題点が発生する。
【０００７】
第１に、無線基地局ｅＮＢ＃２は、無線基地局ｅＮＢ＃１からＸ２インターフェイス若しくはＳ１インターフェイス上で交換局ＭＭＥ（Ｍｏｂｉｌｉｔｙ  Ｍａｎａｇｅｍｅｎｔ  Ｅｎｔｉｔｙ）を経由して無線基地局ｅＮＢ＃２に送信される「（Ｘ２/Ｓ１）ＨＡＮＤＯＶＥＲ  ＲＥＱＵＥＳＴ」によって通知される「Ｈａｎｄｏｖｅｒ  Ｐｒｅｐａｒａｔｉｏｎ  Ｉｎｆｏｒｍａｔｉｏｎ」は、図１２に示すように、例えば、「ｕｅ-ＲａｄｉｏＡｃｃｅｓｓＣａｐａｂｉｌｉｔｙＩｎｆｏ」や「ＡＳ-Ｃｏｎｆｉｇ」といった移動局ＵＥの搭載している無線機能や、移動局ＵＥと無線基地局ｅＮＢ＃１との間で制御信号（Ｃ-ｐｌａｎｅ）及びユーザデータ（Ｕ-ｐｌａｎｅ）を伝送するために用いられている設定情報等が含まれているが、「Ｒｅｌｅａｓｅ  ９」で規定されたＲＲＣプロトコルの拡張機能に関する設定情報について理解することができない。
【０００８】
第２に、「Ｒｅｌｅａｓｅ  ９」で規定されたＲＲＣプロトコル機能を搭載したＬＴＥ方式の移動局ＵＥは、「Ｒｅｌｅａｓｅ  ８」で規定されたＲＲＣプロトコル機能を搭載した無線基地局ｅＮＢ＃２に、ハンドオーバを行う場合、移動局ＵＥにおいて「Ｒｅｌｅａｓｅ  ９」で規定された拡張機能を無効にする必要があるが、無効にする契機及び方法は規定されていない。
【０００９】
そこで、本発明は、上述の課題に鑑みてなされたものであり、異なるリリース番号のＲＲＣプロトコル機能を搭載した無線基地局が混在する場合のハンドオーバ処理における不具合を解消することができる移動通信方法及び無線基地局を提供することを目的とする。
【課題を解決するための手段】
【００１０】
本発明の第１の特徴は、移動通信方法であって、第１無線基地局が、移動局の該第１無線基地局配下のセルから第２無線基地局配下のセルへのハンドオーバを行うことを決定した場合に、該第２無線基地局に対して、該第２無線基地局で使用されているリリース番号の所定プロトコル機能によって生成されたハンドオーバ準備信号を送信する工程Ａと、前記第２無線基地局が、前記移動局に対して、該第２無線基地局で使用されている所定プロトコル機能のリリース番号を含むハンドオーバ指示信号を送信する工程Ｂとを有することを要旨とする。
【００１１】
本発明の第２の特徴は、所定通信方式の移動通信システムにおける移動通信方法であって、第１無線基地局が、移動局の該第１無線基地局配下のセルから第２無線基地局配下のセルへのハンドオーバを行うことを決定した場合で、かつ、該第２無線基地局で使用されている所定プロトコル機能のリリース番号を管理していない場合に、該第２無線基地局に対して、前記移動通信システムにおいて事前に設定されているリリース番号の所定プロトコル機能によって生成されたハンドオーバ準備信号を送信する工程Ａと、前記第２無線基地局が、前記移動局に対して、該第２無線基地局で使用されている所定プロトコル機能のリリース番号或いは前記ハンドオーバ準備信号に含まれているリリース番号を含むハンドオーバ指示信号を送信する工程Ｂとを有することを要旨とする。
【００１２】
本発明の第３の特徴は、所定通信方式の移動通信システムにおける移動通信方法であって、第１無線基地局が、移動局の該第１無線基地局配下のセルから第２無線基地局配下のセルへのハンドオーバを行うことを決定した場合で、かつ、該第２無線基地局で使用されている所定プロトコル機能のリリース番号を管理していない場合に、該第２無線基地局に対して、前記移動通信システムにおいて全ての無線基地局が解読可能な機能拡張のみを含む最新のリリース番号の所定プロトコル機能によって生成されたハンドオーバ準備信号を送信する工程Ａと、前記第２無線基地局が、前記移動局に対して、該第２無線基地局で使用されている所定プロトコル機能のリリース番号或いは前記ハンドオーバ準備信号に含まれているリリース番号を含むハンドオーバ指示信号を送信する工程Ｂとを有することを要旨とする。
【００１３】
本発明の第４の特徴は、無線基地局であって、移動局の前記無線基地局配下のセルから周辺無線基地局配下のセルへのハンドオーバを行うことを決定した場合に、該周辺無線基地局に対して、該周辺無線基地局で使用されているリリース番号の所定プロトコル機能によって生成されたハンドオーバ準備信号を送信するように構成されている送信部を具備することを要旨とする。
【００１４】
本発明の第５の特徴は、所定通信方式の移動通信システムにおける無線基地局であって、移動局の前記無線基地局配下のセルから周辺無線基地局配下のセルへのハンドオーバを行うことを決定した場合で、かつ、該周辺無線基地局で使用されている所定プロトコル機能のリリース番号を管理していない場合に、該周辺無線基地局に対して、前記移動通信システムにおいて事前に設定されているリリース番号の所定プロトコル機能によって生成されたハンドオーバ準備信号を送信するように構成されている送信部を具備することを要旨とする。
【００１５】
本発明の第６の特徴は、所定通信方式の移動通信システムにおける無線基地局であって、移動局の前記無線基地局配下のセルから周辺無線基地局配下のセルへのハンドオーバを行うことを決定した場合で、かつ、該周辺無線基地局で使用されている所定プロトコル機能のリリース番号を管理していない場合に、該周辺無線基地局に対して、前記移動通信システムにおいて全ての無線基地局が解読可能な機能拡張のみを含む最新のリソース番号の所定プロトコル機能によって生成されたハンドオーバ準備信号を送信するように構成されている送信部を具備することを要旨とする。
【００１６】
本発明の第７の特徴は、無線基地局であって、周辺無線基地局から、ハンドオーバ準備信号を受信するように構成されている受信部と、前記移動局に対して、前記無線基地局で使用されている所定プロトコル機能のリリース番号或いは前記ハンドオーバ準備信号に含まれているリリース番号を含むハンドオーバ指示信号を送信するように構成されている送信部とを具備することを要旨とする。
【発明の効果】
【００１７】
以上説明したように、本発明によれば、異なるリリース番号のＲＲＣプロトコル機能を搭載した無線基地局が混在する場合のハンドオーバ処理における不具合を解消することができる移動通信方法及び無線基地局を提供することができる。
【図面の簡単な説明】
【００１８】
【図１】本発明の第１の実施形態に係る無線基地局の機能ブロック図である。
【図２】本発明の第１の実施形態に係る移動通信システムで用いられる「（ＲＲＣ）Ｈａｎｄｏｖｅｒ  Ｐｒｅｐａｒａｔｉｏｎ  Ｉｎｆｏｒｍａｔｉｏｎ」内の情報要素の一例を示す図である。
【図３】本発明の第１の実施形態に係る移動通信システムで用いられる「（Ｘ２）ＨＡＮＤＯＶＥＲ  ＲＥＱＵＥＳＴ」内の情報要素の一例を示す図である。
【図４】本発明の第１の実施形態に係る移動通信システムの動作について説明するための図である。
【図５】本発明の第１の実施形態に係る移動通信システムの動作について説明するための図である。
【図６】本発明の第１の実施形態に係る無線基地局の動作を示すフローチャートである。
【図７】本発明の第１の実施形態に係る無線基地局の動作を示すフローチャートである。
【図８】本発明の変更例１に係る移動通信システムで用いられる「（Ｓ１）  ＨＡＮＤＯＶＥＲ  ＲＥＱＵＩＲＥＤ」内の情報要素の一例を示す図である。
【図９】本発明の変更例１に係る移動通信システムで用いられる「（Ｓ１）  ＨＡＮＤＯＶＥＲ  ＲＥＱＵＥＳＴ」内の情報要素の一例を示す図である。
【図１０】本発明の変更例１に係る移動通信システムで用いられる「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」内の情報要素の一例を示す図である。
【図１１】従来の移動通信システムの問題点について説明するための図である。
【図１２】従来の移動通信システムの問題点について説明するための図である。
【発明を実施するための形態】
【００１９】
（本発明の第１の実施形態に係る移動通信システム）
図１乃至図７を参照して、本発明の第１の実施形態に係る移動通信システムについて説明する。
【００２０】
本実施形態に係る移動通信システムには、例えば、「Ｒｅｌｅａｓｅ  １１」で規定されたＲＲＣプロトコル機能を搭載したＬＴＥ方式の無線基地局ｅＮＢや、「Ｒｅｌｅａｓｅ  １０」で規定されたＲＲＣプロトコル機能を搭載したＬＴＥ方式の無線基地局ｅＮＢや、「Ｒｅｌｅａｓｅ  ９」で規定されたＲＲＣプロトコル機能を搭載したＬＴＥ方式の無線基地局ｅＮＢや、「Ｒｅｌｅａｓｅ  ８」で規定されたＲＲＣプロトコル機能を搭載したＬＴＥ方式の無線基地局ｅＮＢ等、異なるリリース番号のＲＲＣプロトコル機能に対応した無線基地局ｅＮＢが混在している。
【００２１】
図１に示すように、本実施形態に係る無線基地局ｅＮＢは、管理部１１と、受信部１２、送信部１３とを具備している。
【００２２】
管理部１１は、周辺無線基地局に係る情報が登録される「ＮＲＴ（Ｎｅｉｇｈｂｏｒ  Ｒｅｌａｔｉｏｎ  Ｔａｂｌｅ）」を管理するように構成されている。
【００２３】
例えば、かかる周辺無線基地局に係る情報には、周辺無線基地局が対応するＬＴＥ方式のリリース番号、すなわち、周辺無線基地局で用いられているＲＲＣプロトコルのリリース番号（例えば、「Ｒｅｌｅａｓｅ  ８」〜「Ｒｅｌｅａｓｅ  １１」等）が含まれていてもよい。
【００２４】
送信部１３は、移動局ＵＥや周辺無線基地局ｅＮＢや交換局ＭＭＥ等に対して、各種信号を送信するように構成されている。
【００２５】
例えば、無線基地局ｅＮＢが、移動局ＵＥの無線基地局ｅＮＢ配下のセルから周辺無線基地局ｅＮＢ配下のセルへのハンドオーバを行うことを決定した場合で、かつ、管理部１１において、周辺無線基地局ｅＮＢで使用されているＲＲＣプロトコル機能のリリース番号を管理していない場合に、無線基地局ｅＮＢの送信部１３は、かかる周辺無線基地局ｅＮＢに対して、ＬＴＥ方式の移動通信システムにおいて事前に設定されているリリース番号（例えば、「Ｒｅｌｅａｓｅ  ８」）のＲＲＣプロトコル機能によって生成された「ＨＯ  Ｐｒｅｐａｒａｔｉｏｎ  ｉｎｆｏｒｍａｔｉｏｎ」を送信するように構成されていてもよい。
【００２６】
或いは、無線基地局ｅＮＢが、移動局ＵＥの無線基地局ｅＮＢ配下のセルから周辺無線基地局ｅＮＢ配下のセルへのハンドオーバを行うことを決定した場合で、かつ、管理部１１において、周辺無線基地局ｅＮＢで使用されているＲＲＣプロトコル機能のリリース番号を管理していない場合に、無線基地局ｅＮＢの送信部１３は、かかる周辺無線基地局ｅＮＢに対して、ＬＴＥ方式の移動通信システムにおいて全ての無線基地局ｅＮＢが解読可能な機能拡張である「ｎｏｎ-ｃｒｉｔｉｃａｌ  ｅｘｔｅｎｔｉｏｎ」のみを含む最新のリソース番号（例えば、「Ｒｅｌｅａｓｅ  ９」や「Ｒｅｌｅａｓｅ  １０」や「Ｒｅｌｅａｓｅ  １１」等）のＲＲＣプロトコル機能によって生成された「ＨＯ  Ｐｒｅｐａｒａｔｉｏｎ  ｉｎｆｏｒｍａｔｉｏｎ」を送信するように構成されていてもよい。
【００２７】
例えば、「Ｒｅｌｅａｓｅ  ９」のＲＲＣプロトコル機能によって生成されたメッセージが、「ｎｏｎ-ｃｒｉｔｉｃａｌ  ｅｘｔｅｎｔｉｏｎ」を含み、「ｃｒｉｔｉｃａｌ  ｅｘｔｅｎｔｉｏｎ」を含まない場合、「Ｒｅｌｅａｓｅ  ８」のＲＲＣプロトコル機能は、かかるメッセージのうち、「ｎｏｎ-ｃｒｉｔｉｃａｌ  ｅｘｔｅｎｔｉｏｎ」として設定されている部分を無視し、「Ｒｅｌｅａｓｅ  ８」で規定された部分についてのみ復号することができるため、Ｂａｃｋｗａｒｄ  Ｃｏｍｐａｔｉｂｉｌｉｔｙを確保することができる。
【００２８】
また、「Ｒｅｌｅａｓｅ  １１」のＲＲＣプロトコル機能によって生成されたメッセージが、「ｃｒｉｔｉｃａｌ  ｅｘｔｅｎｔｉｏｎ」を含む場合、「Ｒｅｌｅａｓｅ  １０」のＲＲＣプロトコル機能は、かかるメッセージを復号することができないため、Ｂａｃｋｗａｒｄ  Ｃｏｍｐａｔｉｂｉｌｉｔｙを確保することができない。
【００２９】
ここで、図２に示すように、無線基地局ｅＮＢの送信部１３は、「ＨＯ  Ｐｒｅｐａｒａｔｉｏｎ  ｉｎｆｏｒｍａｔｉｏｎ」内の情報要素「ｎｏｎＣｒｉｔｉｃａｌＥｘｔｅｎｓｉｏｎ」に、「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００３０】
また、図３に示すように、無線基地局ｅＮＢの送信部１３は、「ＨＯ  Ｐｒｅｐａｒａｔｉｏｎ  ｉｎｆｏｒｍａｔｉｏｎ」を含む「ＨＡＮＤＯＶＥＲ  ＲＥＱＵＥＳＴ」内の情報要素「ＲＲＣ  Ｐｒｏｔｏｃｏｌ  Ｒｅｌｅａｓｅ」に、「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００３１】
一方、無線基地局ｅＮＢが、移動局ＵＥの無線基地局ｅＮＢ配下のセルから周辺無線基地局ｅＮＢ配下のセルへのハンドオーバを行うことを決定した場合で、かつ、管理部１１において、周辺無線基地局ｅＮＢで使用されているＲＲＣプロトコル機能のリリース番号を管理している場合には、無線基地局ｅＮＢの送信部１３は、かかる周辺無線基地局ｅＮＢに対して、かかる周辺無線基地局ｅＮＢで使用されているリリース番号のＲＲＣプロトコル機能によって生成された「ＨＯ  Ｐｒｅｐａｒａｔｉｏｎ  ｉｎｆｏｒｍａｔｉｏｎ」を送信するように構成されていてもよい。
【００３２】
受信部１２は、移動局ＵＥや周辺無線基地局ｅＮＢや交換局ＭＭＥ等から、各種信号を受信するように構成されている。
【００３３】
また、周辺無線基地局ｅＮＢが、移動局ＵＥの周辺無線基地局ｅＮＢ配下のセルから無線基地局ｅＮＢ配下のセルへのハンドオーバを行うことを決定した場合に、無線基地局ｅＮＢの受信部１２は、周辺無線基地局ｅＮＢから、「ＨＯ  Ｐｒｅｐａｒａｔｉｏｎ  ｉｎｆｏｒｍａｔｉｏｎ」を受信するように構成されている。
【００３４】
かかる場合、無線基地局ｅＮＢの送信部１３は、移動局ＵＥに対して、無線基地局ｅＮＢで使用されているＲＲＣプロトコル機能のリリース番号或いは「ＨＯ  Ｐｒｅｐａｒａｔｉｏｎ  ｉｎｆｏｒｍａｔｉｏｎ」に含まれているリリース番号（例えば、「Ｒｅｌｅａｓｅ  ８」）を含む「ＨＯ  Ｃｏｍｍａｎｄ」を送信するように構成されている。
【００３５】
以下、図４及び図５を参照して、本実施形態に係る移動通信システムの動作について説明する。
【００３６】
第１に、図４を参照して、無線基地局ｅＮＢ＃１が無線基地局ｅＮＢ＃２で使用されているＲＲＣプロトコル機能のリリース番号を知っている場合の動作について説明する。
【００３７】
図４に示すように、ステップＳ１０１において、無線基地局ｅＮＢ＃１は、移動局ＵＥによって送信された「Ｍｅａｓｕｒｅｍｅｎｔ  Ｒｅｐｏｒｔ（測定報告）」に基づいて、移動局ＵＥの無線基地局ｅＮＢ＃１配下のセルから無線基地局ｅＮＢ＃２配下のセルへのハンドオーバを行うことが決定すると、無線基地局ｅＮＢ＃２に対して、無線基地局ｅＮＢ＃２で使用されているリリース番号（例えば、「Ｒｅｌｅａｓｅ  ９」）のＲＲＣプロトコル機能で生成された「ＨＯ  Ｐｒｅｐａｒａｔｉｏｎ  ｉｎｆｏｒｍａｔｉｏｎ」を含む「（Ｘ２）ＨＡＮＤＯＶＥＲ  ＲＥＱＵＥＳＴ」を送信する。
【００３８】
ステップＳ１０２において、無線基地局ｅＮＢ＃２は、受信した「ＨＯ  Ｐｒｅｐａｒａｔｉｏｎ  ｉｎｆｏｒｍａｔｉｏｎ」に応じて、無線基地局ｅＮＢ＃２で使用されているＲＲＣプロトコル機能のリリース番号（例えば、「Ｒｅｌｅａｓｅ  ９」）を通知するための「Ｒｅｌｅａｓｅ  Ｉｎｄｉｃａｔｏｒ」、及び、無線基地局ｅＮＢ＃１で使用されていた設定情報と無線基地局ｅＮＢ＃２で使用される設定情報との差分情報（ｄｅｌｔａ  ｃｏｎｆｉｇｕｒａｔｉｏｎ）を含む「ＨＯ  Ｃｏｍｍａｎｄ」を、移動局ＵＥに対して送信する。
【００３９】
なお、移動局ＵＥは、移動局ＵＥに搭載されている「Ｒｅｌｅａｓｅ  １０」のＲＲＣプロトコル機能に関連する設定のうち、「ＨＯ  Ｃｏｍｍａｎｄ」に含まれているリリース番号「Ｒｅｌｅａｓｅ  ９」以降（例えば、「Ｒｅｌｅａｓｅ  １０」や「Ｒｅｌｅａｓｅ  １１」等）で規定された設定を無効にする。
【００４０】
第２に、図５を参照して、無線基地局ｅＮＢ＃１が無線基地局ｅＮＢ＃２で使用されているＲＲＣプロトコル機能のリリース番号を知らない場合の動作について説明する。
【００４１】
図５に示すように、ステップＳ２０１において、無線基地局ｅＮＢ＃１は、移動局ＵＥによって送信された「Ｍｅａｓｕｒｅｍｅｎｔ  Ｒｅｐｏｒｔ（測定報告）」に基づいて、移動局ＵＥの無線基地局ｅＮＢ＃１配下のセルから無線基地局ｅＮＢ＃２配下のセルへのハンドオーバを行うことが決定すると、無線基地局ｅＮＢ＃２に対して、ＬＴＥ方式の移動通信システムにおいて事前に設定されているリリース番号（例えば、「Ｒｅｌｅａｓｅ  ８」）のＲＲＣプロトコル機能によって生成された「ＨＯ  Ｐｒｅｐａｒａｔｉｏｎ  ｉｎｆｏｒｍａｔｉｏｎ」を含む「（Ｘ２）ＨＡＮＤＯＶＥＲ  ＲＥＱＵＥＳＴ」を送信する。
【００４２】
或いは、ステップＳ２０１において、無線基地局ｅＮＢ＃１は、移動局ＵＥによって送信された「Ｍｅａｓｕｒｅｍｅｎｔ  Ｒｅｐｏｒｔ（測定報告）」に基づいて、移動局ＵＥの無線基地局ｅＮＢ＃１配下のセルから無線基地局ｅＮＢ＃２配下のセルへのハンドオーバを行うことが決定すると、無線基地局ｅＮＢ＃２に対して、ＬＴＥ方式の移動通信システムにおいて全ての無線基地局ｅＮＢが解読可能な機能拡張である「ｎｏｎ-ｃｒｉｔｉｃａｌ  ｅｘｔｅｎｔｉｏｎ」のみを含む最新のリソース番号（例えば、「Ｒｅｌｅａｓｅ  ９」や「Ｒｅｌｅａｓｅ  １０」や「Ｒｅｌｅａｓｅ  １１」等）のＲＲＣプロトコル機能によって生成された「ＨＯ  Ｐｒｅｐａｒａｔｉｏｎ  ｉｎｆｏｒｍａｔｉｏｎ」を含む「（Ｘ２）ＨＡＮＤＯＶＥＲ  ＲＥＱＵＥＳＴ」を送信する。
【００４３】
ステップＳ２０２において、無線基地局ｅＮＢ＃２は、受信した「ＨＯ  Ｐｒｅｐａｒａｔｉｏｎ  ｉｎｆｏｒｍａｔｉｏｎ」に応じて、無線基地局ｅＮＢ＃２で使用されているＲＲＣプロトコル機能のリリース番号又は「ＨＯ  Ｐｒｅｐａｒａｔｉｏｎ  ｉｎｆｏｒｍａｔｉｏｎ」に含まれているＲＲＣプロトコル機能のリリース番号（例えば、「Ｒｅｌｅａｓｅ  ８」）を通知するための「Ｒｅｌｅａｓｅ  Ｉｎｄｉｃａｔｏｒ」、及び、無線基地局ｅＮＢ＃１で使用されていた設定情報と無線基地局ｅＮＢ＃２で使用される設定情報との差分情報（ｄｅｌｔａ  ｃｏｎｆｉｇｕｒａｔｉｏｎ）を含む「ＨＯ  Ｃｏｍｍａｎｄ」を、移動局ＵＥに対して送信する。
【００４４】
なお、移動局ＵＥは、移動局ＵＥに搭載されている「Ｒｅｌｅａｓｅ  １０」のＲＲＣプロトコル機能に関連する設定のうち、「ＨＯ  Ｃｏｍｍａｎｄ」に含まれているリリース番号「Ｒｅｌｅａｓｅ  ９」以降（例えば、「Ｒｅｌｅａｓｅ  ９」や「Ｒｅｌｅａｓｅ  １０」や「Ｒｅｌｅａｓｅ  １１」等）で規定された設定を無効にする。
【００４５】
以下、図６及び図７を参照して、本実施形態に係る移動通信システムにおけるハンドオーバ元の無線基地局ｅＮＢ＃１及びハンドオーバ先の無線基地局ｅＮＢ＃２の動作について説明する。
【００４６】
第１に、図６を参照して、本実施形態に係る移動通信システムにおけるハンドオーバ元の無線基地局ｅＮＢ＃１の動作について説明する。
【００４７】
図６に示すように、ステップＳ３０１において、無線基地局ｅＮＢ＃１は、移動局ＵＥから、ハンドオーバ先の無線基地局ｅＮＢ＃２配下のセルに係る「ＰＣＩ（Ｐｈｙｓｉｃａｌ  Ｃｅｌｌ  Ｉｄｅｎｔｉｔｙ）」や「Ｅ-ＣＧＩ（Ｅｎｈａｎｃｅｄ  Ｃｅｌｌ  Ｇｌｏｂａｌ  Ｉｄｅｎｔｉｔｙ）」や「ＴＡＩ（Ｔｒａｃｋｉｎｇ  Ａｒｅａ  Ｉｄｅｎｔｉｔｙ）」を含む「Ｍｅａｓｕｒｅｍｅｎｔ  Ｒｅｐｏｒｔ」を受信する。
【００４８】
ステップＳ３０２において、無線基地局ｅＮＢ＃１は、無線基地局ｅＮＢ＃２で使用されているＲＲＣプロトコル機能のリリース番号を管理しているか否かについて判定する。
【００４９】
「ＹＥＳ」の場合、本動作は、ステップＳ３０３に進み、「ＮＯ」の場合、本動作は、ステップＳ３０４に進む。
【００５０】
ステップＳ３０３において、無線基地局ｅＮＢ＃２で使用されているリリース番号のＲＲＣプロトコル機能によって、「ＨＯ  Ｐｒｅｐａｒａｔｉｏｎ  ｉｎｆｏｒｍａｔｉｏｎ」を生成する。
【００５１】
一方、ステップＳ３０４において、移動通信システムにおいて予め決められている「Ｒｅｌｅａｓｅ  ８」のＲＲＣプロトコル機能、或いは、「ｃｒｉｔｉｃａｌ  ｅｘｔｅｎｓｉｏｎ」を含まない最新のリリース番号のＲＲＣプロトコル機能によって、「ＨＯ  Ｐｒｅｐａｒａｔｉｏｎ  ｉｎｆｏｒｍａｔｉｏｎ」を生成する。
【００５２】
ステップＳ３０５において、無線基地局ｅＮＢ＃１は、無線基地局ｅＮＢ＃２に対して、「ＲＲＣ  ｃｏｎｔｅｘｔ」として「ＨＯ  Ｐｒｅｐａｒａｔｉｏｎ  ｉｎｆｏｒｍａｔｉｏｎ」を含む「（Ｘ２）ＨＡＮＤＯＶＥＲ  ＲＥＱＵＥＳＴ」を送信する。
【００５３】
ここで、無線基地局ｅＮＢ＃１は、無線基地局ｅＮＢ＃２に対して、「ＨＯ  Ｐｒｅｐａｒａｔｉｏｎ  ｉｎｆｏｒｍａｔｉｏｎ」の生成に用いられたＲＲＣプロトコル機能のリリース番号を通知してもよい。
【００５４】
第２に、図７を参照して、本実施形態に係る移動通信システムにおけるハンドオーバ先の無線基地局ｅＮＢ＃２の動作について説明する。
【００５５】
図７に示すように、ステップＳ４０１において、無線基地局ｅＮＢ＃２は、ハンドオーバ元の無線基地局ｅＮＢ＃１から、「（Ｘ２）ＨＡＮＤＯＶＥＲ  ＲＥＱＵＥＳＴ」を受信する。
【００５６】
ステップＳ４０２において、無線基地局ｅＮＢ＃２は、受信した「（Ｘ２）ＨＡＮＤＯＶＥＲ  ＲＥＱＵＥＳＴ」に含まれる「ＨＯ  Ｐｒｅｐａｒａｔｉｏｎ  ｉｎｆｏｒｍａｔｉｏｎ」の生成に用いられたＲＲＣプロトコル機能のリリース番号を分析する。
【００５７】
ここで、無線基地局ｅＮＢ＃２は、「（Ｘ２）ＨＡＮＤＯＶＥＲ  ＲＥＱＵＥＳＴ」内の所定情報要素や「ＨＯ  Ｐｒｅｐａｒａｔｉｏｎ  ｉｎｆｏｒｍａｔｉｏｎ」内の所定情報要素に設定されている値に基づいて、「ＨＯ  Ｐｒｅｐａｒａｔｉｏｎ  ｉｎｆｏｒｍａｔｉｏｎ」の生成に用いられたＲＲＣプロトコル機能のリリース番号を分析してもよい。
【００５８】
なお、無線基地局ｅＮＢ＃２は、「（Ｘ２）ＨＡＮＤＯＶＥＲ  ＲＥＱＵＥＳＴ」内の所定情報要素や「ＨＯ  Ｐｒｅｐａｒａｔｉｏｎ  ｉｎｆｏｒｍａｔｉｏｎ」内の所定情報要素に値が設定されていない場合には、「ＨＯ  Ｐｒｅｐａｒａｔｉｏｎ  ｉｎｆｏｒｍａｔｉｏｎ」の生成に用いられたＲＲＣプロトコル機能のリリース番号を「Ｒｅｌｅａｓｅ  ８」と判定してもよい。
【００５９】
ステップＳ４０３において、無線基地局ｅＮＢ＃２は、無線基地局ｅＮＢ＃２で使用されているＲＲＣプロトコル機能のリリース番号と、「ＨＯ  Ｐｒｅｐａｒａｔｉｏｎ  ｉｎｆｏｒｍａｔｉｏｎ」の生成に用いられたＲＲＣプロトコル機能のリリース番号とを比較する。
【００６０】
ここで、無線基地局ｅＮＢ＃２で使用されているＲＲＣプロトコル機能のリリース番号の方が、「ＨＯ  Ｐｒｅｐａｒａｔｉｏｎ  ｉｎｆｏｒｍａｔｉｏｎ」の生成に用いられたＲＲＣプロトコル機能のリリース番号よりも新しい場合、本動作は、本動作は、ステップＳ４０４に進む。
【００６１】
一方、無線基地局ｅＮＢ＃２で使用されているＲＲＣプロトコル機能のリリース番号の方が、「ＨＯ  Ｐｒｅｐａｒａｔｉｏｎ  ｉｎｆｏｒｍａｔｉｏｎ」の生成に用いられたＲＲＣプロトコル機能のリリース番号よりも古い場合、本動作は、本動作は、ステップＳ４０５に進む。
【００６２】
ステップＳ４０４において、無線基地局ｅＮＢ＃２は、「ＨＯ  Ｃｏｍｍａｎｄ」に、「ＨＯ  Ｐｒｅｐａｒａｔｉｏｎ  ｉｎｆｏｒｍａｔｉｏｎ」の生成に用いられたＲＲＣプロトコル機能のリリース番号を通知するための「Ｒｅｌｅａｓｅ  Ｉｎｄｉｃａｔｏｒ」、及び、無線基地局ｅＮＢ＃１で使用されているＲＲＣプロトコル機能の範囲内で、無線基地局ｅＮＢ＃１で使用されていた設定情報と無線基地局ｅＮＢ＃２で使用される設定情報との差分情報（ｄｅｌｔａ  ｃｏｎｆｉｇｕｒａｔｉｏｎ）を設定する。
【００６３】
一方、ステップＳ４０５において、無線基地局ｅＮＢ＃２は、「ＨＯ  Ｃｏｍｍａｎｄ」に、無線基地局ｅＮＢ＃２で使用されているＲＲＣプロトコル機能のリリース番号を通知するための「Ｒｅｌｅａｓｅ  Ｉｎｄｉｃａｔｏｒ」、及び、無線基地局ｅＮＢ＃２で使用されているＲＲＣプロトコル機能の範囲内で、無線基地局ｅＮＢ＃１で使用されていた設定情報と無線基地局ｅＮＢ＃２で使用される設定情報との差分情報（ｄｅｌｔａ  ｃｏｎｆｉｇｕｒａｔｉｏｎ）を設定する。
【００６４】
ステップＳ４０６において、無線基地局ｅＮＢ＃２は、無線基地局ｅＮＢ＃１に対して、上述の「ＨＯ  Ｃｏｍｍａｎｄ」を含む「（Ｘ２）ＨＡＮＤＯＶＥＲ  ＲＥＱＵＥＳＴ  ＡＣＫＮＯＷＬＥＤＧＥ」を送信する。
【００６５】
本発明の第１の実施形態に係る移動通信システムによれば、移動局ＵＥの無線基地局ｅＮＢ＃１から周辺無線基地局ｅＮＢ＃２に係るハンドオーバ処理において、周辺無線基地局ｅＮＢ＃２移動局ＵＥで使用されるＲＲＣプロトコル機能のリリース番号を一致させることができるので、ハンドオーバ元無線基地局とハンドオーバ先無線基地局との間で搭載されているＲＲＣプロトコル機能のリリース番号が異なる場合であっても、ハンドオーバ処理における不具合を解消することができる。
【００６６】
（変更例１）
図８及び図９を参照して、上述の第１の実施形態に係る移動通信システムの変更例１について説明する。以下、本変更例１に係る移動通信システムについて、上述の第１の実施形態に係る移動通信システムとの相違点に着目して説明する。
【００６７】
本変更例１に係る移動通信システムは、移動局ＵＥの無線基地局ｅＮＢ＃１から無線基地局ｅＮＢ＃２配下のセルへのハンドオーバとして、Ｘ２ハンドオーバではなく、Ｓ１ハンドオーバが行われるケースを想定する。
【００６８】
かかる場合、無線基地局ｅＮＢ＃１が、周辺無線基地局ｅＮＢで使用されているＲＲＣプロトコル機能のリリース番号を管理していない場合に、無線基地局ｅＮＢ＃１の送信部１３は、所定リリース番号（例えば、「Ｒｅｌｅａｓｅ  ８」）及び所定リリース番号以降のリリース番号（例えば、「Ｒｅｌｅａｓｅ  ９」や「Ｒｅｌｅａｓｅ  １０」や「Ｒｅｌｅａｓｅ  １１」等）のＲＲＣプロトコル機能で解読可能な「ＨＯ  Ｐｒｅｐａｒａｔｉｏｎ  ｉｎｆｏｒｍａｔｉｏｎ」を含む「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を「（Ｓ１）ＨＡＮＤＯＶＥＲ  ＲＥＱＵＩＲＥＤ」に乗せて交換局ＭＭＥに送信するように構成されている。
【００６９】
ここで、図８に示すように、無線基地局ｅＮＢ＃１は、「（Ｓ１）ＨＡＮＤＯＶＥＲ  ＲＥＱＵＩＲＥＤ」内の情報要素「ＲＲＣ  Ｐｒｏｔｏｃｏｌ  Ｒｅｌｅａｓｅ」に、上述の「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００７０】
なお、交換局ＭＭＥは、かかる「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」を「（Ｓ１）ＨＡＮＤＯＶＥＲ  ＲＥＱＵＥＳＴ」に乗せて無線基地局ｅＮＢ＃２に送信するように構成されている。
【００７１】
ここで、図９に示すように、交換局ＭＭＥは、「（Ｓ１）ＨＡＮＤＯＶＥＲ  ＲＥＱＵＥＳＴ」内の情報要素「ＲＲＣ  Ｐｒｏｔｏｃｏｌ  Ｒｅｌｅａｓｅ」に、上述の「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００７２】
ここで、図１０に示すように、無線基地局ｅＮＢ＃１は、「（Ｓ１）ＨＡＮＤＯＶＥＲ  ＲＥＱＵＩＲＥＤ」及び「（Ｓ１）ＨＡＮＤＯＶＥＲ  ＲＥＱＵＥＳＴ」に乗せて交換局ＭＭＥを経由して無線基地局ｅＮＢ＃２に送信される「Ｓｏｕｒｃｅ  ｅＮＢ  ｔｏ  Ｔａｒｇｅｔ  ｅＮＢ  Ｔｒａｎｓｐａｒｅｎｔ  Ｃｏｎｔａｉｎｅｒ」内の情報要素「ＲＲＣ  Ｐｒｏｔｏｃｏｌ  Ｒｅｌｅａｓｅ」に、上述の「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００７３】
以上に述べた本実施形態の特徴は、以下のように表現されていてもよい。
【００７４】
本実施形態の第１の特徴は、移動通信方法であって、無線基地局ｅＮＢ＃１（第１無線基地局）が、移動局ＵＥの無線基地局ｅＮＢ＃１配下のセルから無線基地局ｅＮＢ＃２（第２無線基地局）配下のセルへのハンドオーバを行うことを決定した場合に、無線基地局ｅＮＢ＃２に対して、無線基地局ｅＮＢ＃２で使用されているＲＲＣプロトコル機能のリリース番号（例えば、「Ｒｅｌｅａｓｅ  ９」）のＲＲＣプロトコル機能によって生成された「ＨＯ  Ｐｒｅｐａｒａｔｉｏｎ  ｉｎｆｏｒｍａｔｉｏｎ（ハンドオーバ準備信号）」を送信する工程Ａと、無線基地局ｅＮＢ＃２が、移動局ＵＥに対して、無線基地局ｅＮＢ＃２で使用されているＲＲＣプロトコル機能のリリース番号（例えば、「Ｒｅｌｅａｓｅ  ９」）を含む「ＨＯ  Ｃｏｍｍａｎｄ（ハンドオーバ指示信号）」を送信する工程Ｂとを有することを要旨とする。
【００７５】
本実施形態の第２の特徴は、ＬＴＥ方式（所定通信方式）の移動通信システムにおける移動通信方法であって、無線基地局ｅＮＢ＃１が、移動局ＵＥの無線基地局ｅＮＢ＃１配下のセルから無線基地局ｅＮＢ＃２配下のセルへのハンドオーバを行うことを決定した場合で、かつ、無線基地局ｅＮＢ＃２で使用されているＲＲＣプロトコル機能のリリース番号を管理していない場合に、無線基地局ｅＮＢ＃２に対して、ＬＴＥ方式の移動通信システムにおいて事前に設定されているリリース番号（例えば、「Ｒｅｌｅａｓｅ  ８」）のＲＲＣプロトコル機能によって生成された「ＨＯ  Ｐｒｅｐａｒａｔｉｏｎ  ｉｎｆｏｒｍａｔｉｏｎ」を送信する工程Ａと、無線基地局ｅＮＢ＃２が、移動局ＵＥに対して、無線基地局ｅＮＢ＃２で使用されているＲＲＣプロトコル機能のリリース番号（例えば、「Ｒｅｌｅａｓｅ  ９」）或いは「ＨＯ  Ｐｒｅｐａｒａｔｉｏｎ  ｉｎｆｏｒｍａｔｉｏｎ」に含まれているリリース番号（例えば、「Ｒｅｌｅａｓｅ  ８」）を含む「ＨＯ  Ｃｏｍｍａｎｄ（ハンドオーバ指示信号）」を送信する工程Ｂとを有することを要旨とする。
【００７６】
本実施形態の第３の特徴は、ＬＴＥ方式の移動通信システムにおける移動通信方法であって、無線基地局ｅＮＢ＃１が、移動局ＵＥの無線基地局ｅＮＢ＃１配下のセルから無線基地局ｅＮＢ＃２配下のセルへのハンドオーバを行うことを決定した場合で、かつ、無線基地局ｅＮＢ＃２で使用されているＲＲＣプロトコル機能のリリース番号を管理していない場合に、無線基地局ｅＮＢ＃２に対して、ＬＴＥ方式の移動通信システムにおいて全ての無線基地局ｅＮＢが解読可能な機能拡張「ｎｏｎ-ｃｒｉｔｉｃａｌ  ｅｘｔｅｎｔｉｏｎ」のみを含む最新のリソース番号（例えば、「Ｒｅｌｅａｓｅ  ９」や「Ｒｅｌｅａｓｅ  １０」や「Ｒｅｌｅａｓｅ  １１」等）のＲＲＣプロトコル機能によって生成された「ＨＯ  Ｐｒｅｐａｒａｔｉｏｎ  ｉｎｆｏｒｍａｔｉｏｎ」を送信する工程Ａと、無線基地局ｅＮＢ＃２が、移動局ＵＥに対して、無線基地局ｅＮＢ＃２で使用されているＲＲＣプロトコル機能のリリース番号（例えば、「Ｒｅｌｅａｓｅ  ９」）或いは「ＨＯ  Ｐｒｅｐａｒａｔｉｏｎ  ｉｎｆｏｒｍａｔｉｏｎ」に含まれているリリース番号（例えば、「Ｒｅｌｅａｓｅ  ８」）を含む「ＨＯ  Ｃｏｍｍａｎｄ（ハンドオーバ指示信号）」を送信する工程Ｂとを有することを要旨とする。
【００７７】
本実施形態の第１乃至第３の特徴において、工程Ａにおいて、無線基地局ｅＮＢ＃１は、「ＨＯ  Ｐｒｅｐａｒａｔｉｏｎ  ｉｎｆｏｒｍａｔｉｏｎ」を含む「ＨＡＮＤＯＶＥＲ  ＲＥＱＵＥＳＴ（ハンドオーバ要求信号）」内の情報要素に、「ＨＯ  Ｐｒｅｐａｒａｔｉｏｎ  ｉｎｆｏｒｍａｔｉｏｎ」の生成に用いられたＲＲＣプロトコル機能のリリース番号（例えば、「Ｒｅｌｅａｓｅ  ８」）を含めてもよい。
【００７８】
本実施形態の第１乃至第３の特徴において、工程Ａにおいて、無線基地局ｅＮＢ＃１は、「ＨＯ  Ｐｒｅｐａｒａｔｉｏｎ  ｉｎｆｏｒｍａｔｉｏｎ」内の情報要素に、「ＨＯ  Ｐｒｅｐａｒａｔｉｏｎ  ｉｎｆｏｒｍａｔｉｏｎ」の生成に用いられたＲＲＣプロトコル機能のリリース番号（例えば、「Ｒｅｌｅａｓｅ  ８」）を含めてもよい。
【００７９】
本実施形態の第１乃至第３の特徴において、移動局ＵＥが、移動局ＵＥに搭載されているＲＲＣプロトコル機能に関連する設定のうち、「ＨＯ  Ｃｏｍｍａｎｄ」に含まれているリリース番号「Ｒｅｌｅａｓｅ  ９」以降（例えば、「Ｒｅｌｅａｓｅ  １０」や「Ｒｅｌｅａｓｅ  １１」等）で規定された設定を無効にする工程を有してもよい。
【００８０】
本実施形態の第４の特徴は、無線基地局ｅＮＢ＃１であって、移動局ＵＥの無線基地局ｅＮＢ＃１配下のセルから周辺無線基地局ｅＮＢ＃２配下のセルへのハンドオーバを行うことを決定した場合に、周辺無線基地局ｅＮＢ＃２に対して、無線基地局ｅＮＢ＃２で使用されているＲＲＣプロトコル機能のリリース番号（例えば、「Ｒｅｌｅａｓｅ  ９」）のＲＲＣプロトコル機能によって生成された「ＨＯ  Ｐｒｅｐａｒａｔｉｏｎ  ｉｎｆｏｒｍａｔｉｏｎ」を送信するように構成されている送信部１３を具備することを要旨とする。
【００８１】
本実施形態の第５の特徴は、ＬＴＥ方式の移動通信システムにおける無線基地局ｅＮＢ＃１であって、移動局ＵＥの無線基地局ｅＮＢ＃１配下のセルから周辺無線基地局ｅＮＢ＃２配下のセルへのハンドオーバを行うことを決定した場合で、かつ、周辺無線基地局ｅＮＢ＃２で使用されているＲＲＣプロトコル機能のリリース番号を管理していない場合に、周辺無線基地局ｅＮＢ＃２に対して、ＬＴＥ方式の移動通信システムにおいて事前に設定されているリリース番号（例えば、「Ｒｅｌｅａｓｅ  ８」）のＲＲＣプロトコル機能によって生成された「ＨＯ  Ｐｒｅｐａｒａｔｉｏｎ  ｉｎｆｏｒｍａｔｉｏｎ」を送信するように構成されている送信部１３を具備することを要旨とする。
【００８２】
本実施形態の第６の特徴は、ＬＴＥ方式の移動通信システムにおける無線基地局ｅＮＢ＃１であって、移動局ＵＥの無線基地局ｅＮＢ＃１配下のセルから周辺無線基地局ｅＮＢ＃２配下のセルへのハンドオーバを行うことを決定した場合で、かつ、周辺無線基地局ｅＮＢ＃２で使用されているＲＲＣプロトコル機能のリリース番号を管理していない場合に、周辺無線基地局ｅＮＢ＃２に対して、ＬＴＥ方式の移動通信システムにおいて全ての無線基地局ｅＮＢが解読可能な機能拡張「ｎｏｎ-ｃｒｉｔｉｃａｌ  ｅｘｔｅｎｔｉｏｎ」のみを含む最新のリソース番号（例えば、「Ｒｅｌｅａｓｅ  ９」や「Ｒｅｌｅａｓｅ  １０」や「Ｒｅｌｅａｓｅ  １１」等）のＲＲＣプロトコル機能によって生成された「ＨＯ  Ｐｒｅｐａｒａｔｉｏｎ  ｉｎｆｏｒｍａｔｉｏｎ」を送信するように構成されている送信部１３を具備することを要旨とする。
【００８３】
本実施形態の第４乃至第６の特徴において、送信部１３は、「ＨＯ  Ｐｒｅｐａｒａｔｉｏｎ  ｉｎｆｏｒｍａｔｉｏｎ」を含む「ＨＡＮＤＯＶＥＲ  ＲＥＱＵＥＳＴ」内の情報要素に、「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００８４】
本実施形態の第４乃至第６の特徴において、送信部１３は、「ＨＯ  Ｐｒｅｐａｒａｔｉｏｎ  ｉｎｆｏｒｍａｔｉｏｎ」内の情報要素に、「ＨＯ  Ｐｒｅｐａｒａｔｉｏｎ  ｉｎｆｏｒｍａｔｉｏｎ」の生成に用いられたＲＲＣプロトコル機能のリリース番号を含めるように構成されていてもよい。
【００８５】
本実施形態の第７の特徴は、無線基地局ｅＮＢ＃３であって、周辺無線基地局ｅＮＢ＃１から、「ＨＯ  Ｐｒｅｐａｒａｔｉｏｎ  ｉｎｆｏｒｍａｔｉｏｎ」を受信するように構成されている受信部１２と、移動局ＵＥに対して、無線基地局ｅＮＢ＃２で使用されているＲＲＣプロトコル機能のリリース番号（例えば、「Ｒｅｌｅａｓｅ  ９」）或いは「ＨＯ  Ｐｒｅｐａｒａｔｉｏｎ  ｉｎｆｏｒｍａｔｉｏｎ」に含まれているリリース番号（例えば、「Ｒｅｌｅａｓｅ  ８」）を含む「ＨＯ  Ｃｏｍｍａｎｄ」を送信するように構成されている送信部１２とを具備することを要旨とする。
【００８６】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００８７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００８９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００９０】
ｅＮＢ…無線基地局
１１…管理部
１２…受信部
１３…送信部
【図１】
2011139330.tif 000003
【図２】
2011139330.tif 000004
【図３】
2011139330.tif 000005
【図４】
2011139330.tif 000006
【図５】
2011139330.tif 000007
【図６】
2011139330.tif 000008
【図７】
2011139330.tif 000009
【図８】
2011139330.tif 000010
【図９】
2011139330.tif 000011
【図１０】
2011139330.tif 000012
【図１１】
2011139330.tif 000013
【図１２】
2011139330.tif 000014